(57)【要約】【課題】フィルターを使用することなく、容易且つ安価に水の浄化ができると共に、残留農薬を分解し、硝酸性窒素及び亜硝酸性窒素を除去でき、且つ、ミネラルを溶出することができる浄水器を提供する。【解決手段】容器２と、容器２の給排水ユニット３と、容器２内に詰められた浄水材４とを備えた浄水器１であって、給排水ユニット３は、容器２の口部に取り付けられるキャップ７と、下端部がキャップ７の上端部に螺着自在に取り付けられる筒状の給排水ユニット本体８と、給排水ユニット本体８内と連通自在に取り付けられる蛇口９と、容器２の内底部近傍まで延びる導入パイプ１２等を備え、浄水材４は、粉砕された木炭層４１、粉砕された竹炭層４２、小塊状に砕かれた低質炭層４３及び粉状に細粉化されたホタテ貝の貝殻層４４が順次下方から積層されて下段積層体４５が形成され、下段積層体４５上に下段積層体４５と同構成の上段積層体５０が積層されている。【選択図】図１
0003133719.tif 000002
【実用新案登録請求の範囲】
【請求項１】
粉砕された木炭層、粉砕された竹炭層、小塊状に砕かれた低質炭層、及び、粉状に細粉化されたホタテ貝の貝殻層が順次下方から積層された積層体から成る浄水材を具備することを特徴とする浄水器。
【請求項２】
粉砕された木炭層、粉砕された竹炭層、小塊状に砕かれた低質炭層、及び、粉状に細粉化されたホタテ貝の貝殻層が順次下方から積層された下段積層体と、前記下段積層体と同構成に形成され、前記下段積層体上に積層された上段積層体とから成る浄水材を具備することを特徴とする浄水器。
【請求項３】
容器と、前記容器内に水を供給し、前記容器から浄化した水を排出する給排水ユニットと、前記容器内に詰められた浄水材とを備えた浄水器であって、
前記給排水ユニットは、前記容器の口部に螺着自在に取り付けられるキャップと、下端部が前記キャップの上端部に取り付けられる筒状の給排水ユニット本体と、前記給排水ユニット本体内と連通自在に給排水ユニット本体の外側部に取り付けられる蛇口と、前記給排水ユニット本体と水道水用パイプとを連結する連結部材と、前記水道水用パイプに溶着又は接着され、前記連結部材、給排水ユニット本体、及び、キャップを貫通して前記容器の内底部近傍まで延びる導入パイプとを備え、
前記キャップは、下方に開放する凹部と、上方に開放する窪みとが形成され、前記容器内の水を前記凹部から前記窪み内に流出させる１乃至複数個の流出孔が開穿されていることを特徴とする浄水器。
【請求項４】
前記浄水材は、請求項１又は２記載の浄水器が具備する浄水材であることを特徴とする請求項３記載の浄水器。
【考案の詳細な説明】
【技術分野】
【０００１】
本考案は、フィルターを使用することなく、容易且つ安価に水の浄化ができると共に、残留農薬を分解し、硝酸性窒素及び亜硝酸性窒素を除去でき、且つ、ミネラルを溶出することができる浄水器に関する。
【背景技術】
【０００２】
此種従来の簡易な浄水器としてフィルターを用いるものが広く使用されている。
フィルターを用いた浄水器は、フィルターの交換を必要とするため、手間や経費がかかるなどの問題があり、又、処理された水も美味しくない等の問題がある。
そこで、フィルターを使用せず、手間や経費がかからず、美味しい水を得ることができる浄水器が求められている。
【０００３】
先行文献として、例えば、特許文献１があり、特許文献１には木炭を使った浄水器が記載されている。
特許文献１の浄水器は、下部に蛇口のついたポット式容器にエアポンプを装着し、そのホースの先端を容器の底面で開口させ、木炭又は活性炭を入れた金網かごを容器に入れ、エアポンプからの空気により、水を循環させ、飲料水中の有害物質を吸着、除去するものである。
【特許文献１】特開平７−３２８６１２号公報
【考案の開示】
【考案が解決しようとする課題】
【０００４】
前述したように、フィルターを用いた浄水器は、フィルターの交換を必要とするため、手間や経費がかかるなどの問題があり、又、処理された水も美味しくない等の問題がある。
特許文献１は、フィルターを使用せず、木炭又は活性炭を使用するものであるので、フィルターの交換やその経費は発生しないが、木炭又は活性炭のみでは十分に浄化された美味しい水が得られないという問題がある。
【０００５】
以上の現状に鑑み、本考案は、フィルターを使用することなく、容易且つ安価に水の浄化ができると共に、残留農薬を分解し、且つ、ミネラルを溶出することができる浄水器を提供することを目的とする。
【課題を解決するための手段】
【０００６】
上記の課題を解決すべく、本考案は以下の構成を提供する。
請求項１に係る考案は、粉砕された木炭層、粉砕された竹炭層、小塊状に砕かれた低質炭層、及び、粉状に細粉化されたホタテ貝の貝殻層が順次下方から積層された積層体から成る浄水材を具備することを特徴とする浄水器を提供するものである。
【０００７】
請求項２に係る考案は、粉砕された木炭層、粉砕された竹炭層、小塊状に砕かれた低質炭層、及び、粉状に細粉化されたホタテ貝の貝殻層が順次下方から積層された下段積層体と、前記下段積層体と同構成に形成され、前記下段積層体上に積層された上段積層体とから成る浄水材を具備することを特徴とする浄水器を提供するものである。
【０００８】
請求項３に係る考案は、容器と、前記容器内に水を供給し、前記容器から浄化した水を排出する給排水ユニットと、前記容器内に詰められた浄水材とを備えた浄水器であって、
前記給排水ユニットは、前記容器の口部に螺着自在に取り付けられるキャップと、下端部が前記キャップの上端部に取り付けられる筒状の給排水ユニット本体と、前記給排水ユニット本体内と連通自在に給排水ユニット本体の外側部に取り付けられる蛇口と、前記給排水ユニット本体と水道水用パイプとを連結する連結部材と、前記水道水用パイプに溶着又は接着され、前記連結部材、給排水ユニット本体、及び、キャップを貫通して前記容器の内底部近傍まで延びる導入パイプとを備え、
前記キャップは、下方に開放する凹部と、上方に開放する窪みとが形成され、前記容器内の水を前記凹部から前記窪み内に流出させる１乃至複数個の流出孔が開穿されていることを特徴とする浄水器を提供するものである。
【０００９】
請求項４に係る考案は、前記浄水材は、請求項１又は２記載の浄水器が具備する浄水材であることを特徴とする請求項３記載の浄水器を提供するものである。
【考案の効果】
【００１０】
本考案の請求項１記載の考案によれば、フィルターを使用することなく、水中の浮遊物や、不純物、有機物、細菌、水酸化懸濁物、鉄分、塩化物イオン等をろ過又は吸着除去できると共に、水の濁度を下げることができる等、容易且つ安価に水の浄化ができ、更に、ホタテ貝の貝殻層によって残留農薬を分解し、且つ、竹炭層及び低質炭層によってミネラルを溶出することによって美味しい水を得ることができる浄水器を提供することができる。
又、本考案の浄水器は、水中の水酸化懸濁物が浄水材の木炭層等に付着することにより、その水酸化懸濁物が水中の硝酸イオンを吸着し、水中の硝酸性窒素濃度を低下させることができる。
【００１１】
請求項２記載の考案によれば、請求項１記載の考案の効果に加え、更に、浄化性能を高めた浄化器を提供することができる。
【００１２】
請求項３記載の考案によれば、フィルターを使用することなく、容易且つ安価に水の浄化ができると共に、取り扱い容易な浄水器を提供することができる。
【００１３】
請求項４記載の考案によれば、請求項２及び請求項３記載の考案の効果と同様な効果が期待できる。
【考案を実施するための最良の形態】
【００１４】
以下、実施例を示した図面を参照しつつ本考案の実施の形態を説明する。
図１に於いて、１は、本考案による浄水器であり、浄水器１は、ビン状の容器２と、容器２内に水を供給し、容器２から浄化した水を排出する給排水ユニット３と、容器２内に詰められた浄水材４とから構成されている。
【００１５】
前記容器２は、例えば、直径１３ｃｍ、高さ３８．１３ｃｍ程度のものを使用し（４&#8467;のペットボトルを利用すると便利である。）、上端部には、外周部に雄ネジ部５が形成された口部６を備えている。
【００１６】
前記給排水ユニット３は、容器２の口部６に螺着自在に取り付けられるキャップ７と、下端部がキャップ７の上端部に螺着自在に取り付けられる略円筒状の給排水ユニット本体８と、給排水ユニット本体８内と連通自在に給排水ユニット本体８の外側部に取り付けられる蛇口９と、給排水ユニット本体８と水道水用パイプ１０とを連結する連結部材１１と、水道水用パイプ１０に溶着又は接着され、前記連結部材１１、給排水ユニット本体８及びキャップ７を貫通して容器２の内底部近傍まで延びる導入パイプ１２とを備えている。
【００１７】
前記キャップ７は、下方に開放する凹部２１と、上方に開放する窪み２２とが形成され、凹部２１と窪み２２の内周面には夫々雌ネジ部２３，２４が形成されている。前記キャップ７は、雌ネジ部２３を容器２の雄ネジ部５に螺着して取付けられる。
【００１８】
又、窪み２２の下方部は、凹部２１の上部中央部内に陥没する如く垂設されており、その垂設した垂設壁２５には、容器２内の水を凹部２１から窪み２２内に流出させる１乃至複数個の流出孔２６，２６…が開穿され、凹部２１の上部中央部内に垂設した窪み２２の底部には、導入パイプ１２を貫通させる貫通孔２７が開穿されている。
【００１９】
前記給排水ユニット本体８は、上端部と下端部に夫々雄ネジ部２８，２９が形成され、外側部に、蛇口９と連通させる連通部３０が突設して設けられ、連通部３０の先端部には蛇口９のソケット９ａと螺合させる雄ネジ部３１が形成されている。前記給排水ユニット本体８は、雄ネジ部２９を、キャップ７の雌ネジ部２４に螺着して取付けられる。
【００２０】
前記連結部材１１は、袋ナット３２と、パッキン３３とを備え、袋ナット３２は、下方に開放する凹部内壁部に、給排水ユニット本体８の雄ネジ部２８と螺合させる雌ネジ部３４が形成され、上端に水道水用パイプ１０を貫通させる貫通孔３５が形成されている。
【００２１】
そして、袋ナット３２の貫通孔３５に水道水用パイプ１０を貫通させ、水道水用パイプ１０の先端部を拡開してフランジ部３６を形成し、フランジ部３６と、給排水ユニット本体８上端部との間にパッキン３３を介装させて袋ナット３２の雌ネジ部３４を給排水ユニット本体８の雄ネジ部２８に螺合すると水道水用パイプ１０は、給排水ユニット本体８に取付けられる。尚、水道水用パイプ１０は、予め、フランジ部３６が形成されたものを用いても良い。
【００２２】
前記導入パイプ１２は両端開放の細長い円筒状体で、下端近傍の側壁部には複数の水道水の噴出孔３７，３７…が開穿されている。
【００２３】
前記浄水材４は、容器２内に於いて、粉砕された木炭層４１、粉砕された竹炭層４２、小塊状に砕かれた低質炭層４３、及び、粉状に細粉化されたホタテ貝の貝殻層４４が順次下方から積層されて下段積層体４５が形成され、下段積層体４５上に、下段積層体４５と同様に構成された木炭層４６、竹炭層４７、低質炭層４８、及び、貝殻層４９が順次下方から積層されて形成された上段積層体５０が積層されて成る。
【００２４】
尚、例えば、前記浄水材３の木炭層４１の厚さは約７．５ｃｍ、竹炭層４２の厚さは約７．５ｃｍ、低質炭層４３の厚さは約８ｃｍ、ホタテ貝の貝殻層４４の厚さは約８ｃｍに形成され、低質炭の粒径は約２ｃｍに砕かれたものを用いる。
【００２５】
而して、前記浄水器１の組み立て方法の一例を説明すると、先ず、容器２内に木炭層４１、竹炭層４２、低質炭層４３、貝殻層４４を順次敷き詰めて下段積層体４５を形成し、その上に、木炭層４６、竹炭層４７、低質炭層４８、貝殻層４９を順次敷き詰めて上段積層体５０を形成する。
【００２６】
次に、袋ナット３２の貫通孔３５に水道水用パイプ１０を通し、水道水用パイプ１０の先端部を拡開してフランジ部３６を形成し、水道水用パイプ１０の先端部に導入パイプ１２の後端を挿入して溶着又は接着し、パッキン３３に導入パイプ１２を貫通させた後、給排水ユニット本体８内に導入パイプ１２を貫通させ、袋ナット３２の雌ネジ部３４を給排水ユニット本体８の雄ネジ部２８と螺合させて、水道水用パイプ１０に給排水ユニット本体８を螺着し、給排水ユニット本体８の雄ネジ部３１に蛇口９のソケット９ａを螺合させる。
更に、キャップ７の貫通孔２７に導入パイプ１２を貫通させて、給排水ユニット本体８の雄ネジ部２９にキャップ７の雌ネジ部２４を螺合させて、給排水ユニット本体８下端にキャップ７を螺着させ、導入パイプ１２を容器２内の上段積層体５０及び下段積層体４５の中央部に差し込み、キャップ７の雌ネジ部２３に容器２の雄ネジ部５を螺合させて、キャップ７に容器２を螺着する。
【００２７】
次に、前記浄水器１の使用方法について説明する。
蛇口９の栓９ｂを開いて、水道水用パイプ１０から水道水を給水すると、水道水は、水道水用パイプ１０から導入パイプ１２を流下し、導入パイプ１２の下端と導入パイプ１２の噴出孔３７，３７…から容器２内に噴出する。容器２内に流出した水道水は、浄水材４の下段積層体４５を構成する木炭層４１、竹炭層４２、低質炭層４３、及び、ホタテ貝の貝殻層４４に順次接触しながら上昇し、次に、浄水材４の上段積層体５０を構成する木炭層４６、竹炭層４７、低質炭層４８、及び、ホタテ貝の貝殻層４９に順次接触しながら上昇し浄水処理される。
【００２８】
浄水処理された水道水は更に上昇し、容器２の口部６から流出孔２６，２６…を介して窪み２２に入り、窪み２２から給排水ユニット本体８に入り、給排水ユニット本体８から連通部３０を介して蛇口９に入り、蛇口９から排出する。
【００２９】
前記浄水材４に於いて、ろ過機能が発揮され、水道水中の浮遊物や、不純物、有機物、細菌、水酸化懸濁物、鉄分等が吸着除去され、濁度も低下する。又、ホタテ貝の貝殻層４４、４９により残留農薬を分解できる。
更に、水道水中の水酸化懸濁物が浄水材４の木炭層４１，４６等に付着することにより、その水酸化懸濁物が水道水中の硝酸イオンを吸着し、水道水中の硝酸性窒素濃度を低下させることができる。
【００３０】
次に、本考案に係る浄水器１の効果を確かめるための実験例について説明する。
＜実験例１＞
本考案に係る浄水器の効果を確かめるため、水道水（比較サンプル）と、本考案の浄水器で浄化した水道水（本考案サンプル）とを比較測定した。
（１）比較サンプル：北海道北広島市の水道水（給水栓水）
測定場所：北海道室蘭保健所
測定値
一般細菌                                  ５８  ／ｍＬ
大腸菌群                                        不検出
硝酸性窒素及び亜硝酸性窒素            ０．２０ｍｇ／Ｌ
鉄                                    ０．３８ｍｇ／Ｌ
塩素イオン                            １０．０ｍｇ／Ｌ
カルシウム、マグネシウム等（総硬度）  ５２．０ｍｇ／Ｌ
有機物等（過マンガン酸カリウム消費量）  ３．９ｍｇ／Ｌ
ｐＨ値                                          ７．２
臭気                                          異常なし
色度                                        ＜１    度
濁度                                      ９．２    度
（２）本考案サンプル：北海道北広島市の水道水（給水栓水）を本考案の浄水器で浄化
した水
測定場所：北海道室蘭保健所
測定値
一般細菌                                    ０  ／ｍＬ
大腸菌群                                        不検出
硝酸態窒素及び亜硝酸態窒素            ０．１０ｍｇ／Ｌ
塩化物イオン                            ７．２ｍｇ／Ｌ
有機物等（全有機炭素（ＴＯＣ）の量）    １．０ｍｇ／Ｌ
ｐＨ値                                          ６．６
臭気                                          異常なし
色度                                        ＜１    度
濁度                                      ＜０．１  度
上記実験例１によると、本考案サンプルは、比較サンプルに比較して一般細菌、硝酸態窒素及び亜硝酸態窒素、塩化物イオン、有機物等、濁度に於いて測定値が減少しており、本考案に係る浄水器は、それらについて良好なろ過機能を有していると認められる。尚、硝酸態窒素及び亜硝酸態窒素のろ過機能については、更に実験例２及び３で確認する。
【００３１】
＜実験例２＞
本考案の浄水器による硝酸態窒素及び亜硝酸態窒素のろ過機能を確かめるため、硝酸ナトリウムを溶解した水道水（比較サンプル）と、硝酸ナトリウムを溶解した水道水を本考案の浄水器内に入れ３０分間静置した水（本考案サンプル）とを比較測定した。
（１）比較サンプル：硝酸ナトリウムを溶解した水道水
測定場所：北海道立工業試験場
測定機：ＨＡＣＨ社製ＤＲ／２０００
測定値
硝酸性窒素                          ２０．８ｍｇ／Ｌ
（２）本考案サンプル：硝酸ナトリウムを溶解した水道水（比較サンプルと同じ水）を
本考案の浄水器内に入れ３０分間静置した水
測定機：ＨＡＣＨ社製ＤＲ／２０００
測定値
硝酸性窒素                          １８．０ｍｇ／Ｌ
【００３２】
＜実験例３＞
実験例２に加えて、本考案の浄水器による硝酸態窒素及び亜硝酸態窒素のろ過機能を更に確かめるため、硝酸ナトリウムを溶解した水道水（比較サンプル）と、硝酸ナトリウムを溶解した水道水を本考案の浄水器内に入れ５４時間静置した水（本考案サンプル）とを比較測定した。
（１）比較サンプル：硝酸ナトリウムを溶解した水道水
測定場所：北海道立工業試験場
測定機：ＨＡＣＨ社製ＤＲ／２０００
測定値
硝酸性窒素                          ２１．０ｍｇ／Ｌ
（２）本考案サンプル：硝酸ナトリウムを溶解した水道水（比較サンプルと同じ水）を
本考案の浄水器内に入れ５４時間静置した水
測定機：ＨＡＣＨ社製ＤＲ／２０００
測定値
硝酸性窒素                            ６．０ｍｇ／Ｌ
上記実験例２及び３によると、硝酸性窒素の測定値に於いて、本考案サンプルは比較サンプルに比較して硝酸性窒素が減少しており、特に、本考案の浄水器内に長時間静置した場合に、硝酸性窒素の減少が大であることから、本考案に係る浄水器は、硝酸性窒素について良好なろ過機能を有していると認められる。
但し、この場合、本考案に係る浄水器の浄化材によって直接硝酸性窒素を減少させる効果よりも、時間の経過と共に水道水中の水酸化懸濁物が浄化材の木炭層等に付着し、水酸化懸濁物が硝酸イオンを吸着して硝酸性窒素を減少させる効果が大きいものと思われる。
【図面の簡単な説明】
【００３３】
【図１】本考案による浄水器の正面縦断断面図である。
【符号の説明】
【００３４】
１  浄水器
２  容器
３  給排水ユニット
４  浄水材
６  口部
７  キャップ
８  給排水ユニット本体
９  蛇口
１０  水道水用パイプ
１１  連結部材
１２  導入パイプ
２１  凹部
２２  窪み
２５  垂設壁
２６  流出孔
２７  貫通孔
４１，４６  木炭層
４２，４７  竹炭層
４３，４８  低質炭層
４４，４９  貝殻層
４５  下段積層体
５０  上段積層体
【図１】
0003133719.tif 000003